(57)【要約】      （修正有）【課題】広告面の寸法が拡大され、広告手段の緊張が調節され、保持部の強度が高められる広告・情報手段を提供する。【解決手段】本考案は、表示面が取り付けられるフレームが、垂直方向のエレメントと水平方向のエレメントとから形成されており、支柱に取り付けられている。取付けエレメントはＵ字形の結合部材として形成されており、表示面の両面の反転が防止される。フレームの水平方向のエレメントは、両凸状の構造体を成しており、水平方向のエレメントが、長手方向孔を有する表示面の上側および下側の縁部に形成されている。長手方向孔に差し込まれるガイドは、フレームの対応する水平方向のエレメントのための線形状を生ぜしめ、ガイドと水平方向のエレメントとが、孔を有しており、孔にねじ山付きエレメントが差し込まれていて、ねじ山付きエレメントが、孔を結合させる。【選択図】図１
0003161945.tif 000002
【実用新案登録請求の範囲】
【請求項１】
表示面を有する広告・情報手段であって、表示面が、フレームに取り付けられており、該フレームが、垂直方向のエレメント（４）と水平方向のエレメント（３）とから形成されていて、かつ支柱（５）に取り付けられている形式のものにおいて、
取付けエレメントが、Ｕ字形結合部（６）として形成されていて、表示面の両面の反転を防止しており、
フレームの水平方向のエレメント（３）が、両凸状の構造体を成していて、該水平方向のエレメント（３）が、長手方向孔を有する表示面の上縁部および下縁部に形成されており、
該長手方向孔に、ガイド（２）が差し込まれており、該ガイド（２）が、フレームの、相応する水平方向のエレメント（３）に対する線形状を生ぜしめ、
ガイド（２）と、水平方向のエレメント（３）とが、孔を有していて、該孔にねじ山付きエレメント（７）が差し込まれており、
該ねじ山付きエレメント（７）が、孔同士を結合させるので、孔がペア毎に互いに引寄せ可能であり、
表示面が、ウェブ（１）から製造されている、
ことを特徴とする、広告・情報手段。
【請求項２】
表示面が、織布または構造用ネットから製造されている、請求項１記載の広告・情報手段。
【請求項３】
表示面が、２ｍ〜４ｍの高さおよび１ｍ〜２ｍの幅を有している、請求項１記載の広告・情報手段。
【請求項４】
ねじ山付きエレメント（７）として、ボルトまたはナットを有するピンが使用されている、請求項１記載の広告・情報手段。
【考案の詳細な説明】
【技術分野】
【０００１】
本考案は、表示面を有する広告・情報手段であって、表示面が、フレームに取り付けられており、該フレームが、垂直方向のエレメントと水平方向のエレメントとから形成されていて、かつ支柱に取り付けられている形式のものに関する。
【０００２】
本考案は、屋外広告に用いられる面として使用される構造体に関する。
【０００３】
露国特許第２２３６０４５号明細書，クラスＧ０９Ｆ１５／００，２００４．０９．１０から、スタンドとパネル枠とを有する広告パネルが公知である。スタンドは土台に取り付けられている。パネル枠は化粧シートを有しており、スタンドにブラケットを用いて堅固に取り付けられている。スタンドへのブラケットの取付けは、支持リングを用いて行われる。この支持リングはスタンドに取り付けられている。タイプ１５（広告パネル１５）によるパネル構造の説明から、その広告面の寸法は、３ｍｘ６ｍであることが判る。スタンドの高さは少なくとも９ｍである（たとえば、２００５年１２月１６日に公開された以下のインターネットサイトの説明を参照：http://www.bigboard.ru/ru/catalogue/izg_constr/info/）。
【０００４】
１．２ｍｘ１．８ｍの寸法を有する独立式の構造体も知られている。この構造体は、街灯柱に取付け可能である。この場合、広告面の下縁部は、２．５ｍの高さに位置している（２００５年１２月１６日に公開された以下のインターネットサイトの説明と写真を参照：http://www.bigboard.ru/ru/catalogue/construct/city/）。
【０００５】
この公知の広告パネルの欠点は、広告面の寸法が制限されていることである。これは、使用可能な金属薄板および合板シートの品数が制限されていることに起因する。別の欠点は、広告パネルの位置の調節が不可能なこと、および広告パネルの保持部の強度が不十分なことである。なぜならば保持部は重量増加および構造体全体の高価化の原因となるからである。
【０００６】
露国特許第４８６６６号明細書，クラスＧ０９Ｆ１５／００，２００５．１０．２７から、設置支柱を有する広告設備が公知である。広告手段枠組は、保持部とブラケットとを用いて設置支柱に取り付けられている。枠組は、垂直方向の支柱と水平方向の支持体とを有している。保持部は、設置支柱の上端面に取り付けられている。下側の水平方向の支持体は、ブラケットを用いて保持部に解離不能に結合されている。広告手段は、ウェブの形で形成されていて、このウェブは上述の枠組に取り付けられている。
【０００７】
この広告設備の欠点は、広告手段のテンションが調節不可能なことにある。
【０００８】
露国特許第４６８７８号明細書，クラスＧ０９Ｆ１５／００，２００５．０７．２７から、フレームと、フレキシブルな広告手段と、このフレキシブルな広告手段を張設するための装置とを有する広告パネルが公知である。この張設装置は、ばねエレメントを有している。広告手段は、その周面に一列の孔を有しており、これらの孔は、アイによって補強されている。
【０００９】
この広告パネルの欠点は、広告手段の小さな強度および耐久性である。なぜならば、広告手段は複数の孔により弱められているからである。さらに広告手段は調節不可能でかつ張設不可能である。
【００１０】
最も近い先行技術および本出願の対象の原形は、表示面を有する広告・情報手段である。表示面は、Ｕ字形結合部の形の取付けエレメントを用いて支持体に固定されている。ブラケットは、Ｕ字形結合部と一体に形成されている。表示面は、弾性的な材料から３次元に製造されている。表示面の上縁部も下縁部も長手方向孔を備えており、しかもこれらの長手方向孔は、各取付けエレメントのブラケットと合致可能である。この場合、各表示面の上記の縁部は、それぞれ１つの補剛リブをガイドの形で有している。このガイドは、長手方向孔に導入されている。
【００１１】
このような形式の広告・情報手段の欠点は、以下の通りである。
−広告手段の表示面の寸法が、弾性的な材料の最大寸法により規定されており、最大で１ｍ×１ｍである。
−弾性的な材料に設けられた長手方向孔が、保持部の強度および広告手段の寿命を減少させる。
−構造体が、弾性的な材料のテンションの調節可能性を有しておらず、すぐに消耗したように見える。
【００１２】
本考案の課題は、冒頭で述べた形式の広告・情報手段を改良して、広告面の寸法を拡大し、広告手段のテンションを調節し、保持部の強度を高めることである。
【００１３】
この課題を解決するために本考案の構成では、取付けエレメントが、Ｕ字形結合部として形成されていて、表示面の両面の反転を防止しており、フレームの水平方向のエレメントが、両凸状の構造体を成していて、水平方向のエレメントが、長手方向孔を有する表示面の上縁部および下縁部に形成されており、該長手方向孔に、ガイドが差し込まれており、該ガイドが、フレームの、相応する水平方向のエレメントに対する線形状（Linienfuehrung）を生ぜしめ、ガイドと、水平方向のエレメントとが、孔を有していて、該孔にねじ山付きエレメントが差し込まれており、該ねじ山付きエレメントが、孔同士を結合させるので、孔がペア毎に互いに引寄せ可能であり、表示面が、ウェブから製造されているようにした。
【００１４】
課せられた目的は、以下のようにして達成されている：
広告・情報手段は、フレームに取り付けられている表示面を有している。フレームは、垂直方向のエレメントと水平方向のエレメントとから形成される。フレームは、設置支柱に、Ｕ字形結合部の形の取付けエレメントを用いて装着されている。表示面の裏表両面は位置固定されている。フレームの水平方向のエレメントは、両凸状の構造体を成している。表示面の上縁部および下縁部は、長手方向孔を備えている。これらの長手方向孔には、ガイドが組み込まれている。このガイドは、対応する水平方向のエレメントの１つの線形状を再現する。ガイドと水平方向のエレメントとは、複数の孔を備えている。ねじ山付きエレメントは、これらの孔に差し込まれており、これらの孔がペア毎に互いに引き寄せられるように、孔同士を結合させる。表示面は、布地ウェブまたは構造用ネットウェブ（Baunetzbahn）から製造されている。表示面は２ｍ〜４ｍの高さおよび１ｍ〜２ｍの幅を有している。
以下に本考案の実施例を図面につき詳しく説明する。
【図面の簡単な説明】
【００１５】
【図１】広告手段の全体図である。
【図２】広告ウェブとスタンドとを省いた装置を示す図である。
【図３】ウェブの緊張に用いられる連結ピンを示す縦断面図である。
【００１６】
図１に示すように、広告・情報手段は表示面を有している。表示面は、ウェブ１とガイド２とから成っている。ウェブ１は、織布または構造用ネットから製造されている。ウェブ１は、ガイド２を用いて取り付けられている。ガイド２は、両凸状のフレームの、対応する１つの水平方向のエレメント３の線形状を表す弓の形に形成されている。フレームは垂直方向のエレメント４をも有している。この垂直方向のエレメント４は、水平方向のエレメント３に固定されている。フレームは、水平方向のエレメント３によって、Ｕ字形結合部６を用いて支柱５に取り付けられている。支柱５として、街灯柱か、またはトロリーバスまたは路面電車路線の架線柱が使用される。ガイド２は、ウェブ１の長手方向孔に差し込まれている。ねじ山付きピン７は、ガイド２のこれらの孔に差し込まれていて、ガイド２と水平方向のエレメント３とを、ナット８を用いて結合させる。ピンの代わりにボルトを使用することもできる。
【００１７】
広告・情報手段は以下のように組み立てられる。フレームが、支柱５に、Ｕ字形結合部６を用いて固定されていて、この場合、表示面の反転は阻止される。上側のガイド２は、長手方向孔に差し込まれ、ナット８を有するねじ山付きピン７を用いて、フレームの上側の水平方向のエレメント３に固定される。この場合、この長手方向孔は、広告ウェブ１の上縁部に形成されている。次いで、ねじ山付きピン７が、下側のガイド２の孔に差し込まれる。下側のガイド２自体は、広告ウェブ１の下縁部に設けられた長手方向孔に差し込まれている。ナット８を締め付けることにより広告ウェブ１が張設される。広告ウェブ１が弛んでいる場合、あちこちのナット８を締め付けることにより、広告ウェブ１の表面を平滑化しかつ張設することができる。広告ウェブ１を交換するためには、同じステップが逆の順序で行われる。
【００１８】
したがって、３次元の材料を織布または構造用ネットにより代えることにより、広告手段の寸法を、２ｍ〜４ｍの高さおよび１ｍ〜２ｍの幅にまで拡大することができるようになる。フレームを、ガイド２を取り付けるためのねじ山付きピンを一貫して挿入することのできる複数の孔を有する、両凸状の構造体として形成することにより、広告手段のテンションの調節性および取付けの確実性の向上が保証される。
【図１】
0003161945.tif 000003
【図２】
0003161945.tif 000004
【図３】
0003161945.tif 000005
【手続補正書】
【提出日】平成22年3月15日(2010.3.15)
【手続補正１】
【補正対象書類名】実用新案登録請求の範囲
【補正対象項目名】全文
【補正方法】変更
【補正の内容】
【実用新案登録請求の範囲】
【請求項１】
表示面を有する広告・情報手段であって、表示面が、フレームに取り付けられており、該フレームが、垂直方向のエレメント（４）と水平方向のエレメント（３）とから形成されていて、かつ支柱（５）に取り付けられている形式のものにおいて、
取付けエレメントが、Ｕ字形結合部（６）として形成されていて、表示面の両面の反転を防止しており、
フレームの水平方向のエレメント（３）が、両凸状の構造体を成していて、表示面の上縁部および下縁部が、長手方向孔を備えており、
該長手方向孔に、ガイド（２）が差し込まれており、該ガイド（２）が、フレームの、相応する水平方向のエレメント（３）に対する線形状を生ぜしめ、
ガイド（２）と、水平方向のエレメント（３）とが、孔を有していて、該孔にねじ山付きエレメント（７）が差し込まれており、
該ねじ山付きエレメント（７）が、孔同士を結合させるので、孔がペア毎に互いに引寄せ可能であり、
表示面が、ウェブ（１）から製造されている、
ことを特徴とする、広告・情報手段。
【請求項２】
表示面が、織布または構造用ネットから製造されている、請求項１記載の広告・情報手段。
【請求項３】
表示面が、２ｍ〜４ｍの高さおよび１ｍ〜２ｍの幅を有している、請求項１記載の広告・情報手段。
【請求項４】
ねじ山付きエレメント（７）として、ボルトまたはナットを有するピンが使用されている、請求項１記載の広告・情報手段。